(57)【特許請求の範囲】
【請求項１】
第１及び第２の文字入力用光センサ装置、
前記第１及び第２の文字入力用光センサ装置のそれぞれに対してユーザが行なう２個以上の操作態様を判別する操作態様判別器、
入力文字を確定する確定用光センサ装置、
所定分類内の全部の文字を網羅して順番に並べた第１の順番列と、第１の順番列において不連続の順番となっている文字を選抜して順番に並べ直した第２の順番列とを設定する設定手段、及び
前記第１の文字入力用光センサ装置に対する第１の操作態様による操作では、１回の操作ごとに前記第１の順番列における文字をそれらの順方向への順番に従い１個ずつ入力文字として表示し、前記第１の文字入力用光センサ装置に対する第２の操作態様による操作では、１回の操作ごとに前記第２の順番列における文字をそれらの順方向への順番に従い１個ずつ入力文字として表示し、
前記第２の文字入力用光センサ装置に対する第１の操作態様による操作では、１回の操作ごとに前記第１の順番列における文字をそれらの逆方向の順番に従い１個ずつ入力文字として表示し、前記第１の文字入力用光センサ装置に対する第２の操作態様による操作では、１回の操作ごとに前記第２の順番列における文字をそれらの逆方向の順番に従い１個ずつ入力文字として表示する入力文字表示手段、を有し
前記第１及び前記第２の文字入力用光センサ装置は、入力文字を確定する前記確定用光センサ装置を挟むように配設され、
前記操作態様判別器は、前記第１及び第２の文字入力用光センサ装置における前記確定用光センサ装置に近い箇所を操作した場合に、前記第１の操作態様であると判別し、前記第１及び第２の文字入力用光センサ装置における前記確定用光センサ装置から遠い箇所を操作した場合に、前記第２の操作態様であると判別することを特徴とする文字入力装置。
【請求項２】
前記所定分類は文字の種類に関する分類であることを特徴とする請求項１に記載の文字入力装置。
【請求項３】
前記第１及び前記第２の文字入力用光センサ装置は、入力文字を確定する確定用光センサ装置に対してそれぞれ上側及び下側に配設されていることを特徴とする請求項２記載の文字入力装置。
【請求項４】
前記所定分類は文字入力モードに対応する分類であることを特徴とする請求項１〜３のいずれかに記載の文字入力装置。
【請求項５】
各文字入力用光センサ装置は、他の光センサ装置の光センサの群と相互に区別できる一群の光センサから構成されていることを特徴とする請求項１〜４記載の文字入力装置。
【請求項６】
前記文字入力用光センサ装置はそれぞれ前記確定用光センサ装置に近い箇所と遠い箇所に並べられた２つの光センサで構成され、
前記操作態様判別器は、前記２つの光センサのどちらがタッチされたかによって、前記確定用光センサ装置に近い箇所及び遠い箇所を判別することを特徴とする請求項１〜５のいずれかに記載の文字入力装置。
【請求項７】
前記第１の順番列において不連続の順番の文字とは、第１の順番列の少なくも所定範囲では順番が所定数ずつ増加している文字であることを特徴とする請求項１〜６のいずれかに記載の文字入力装置。
【請求項８】
前記確定用光センサ装置の右側及び左側に文字の入力位置を変更するカーソル操作用光センサ装置を配設することを特徴とする請求項３記載の文字入力装置。
【請求項９】
請求項１〜８のいずれかに記載の文字入力装置を装備する携帯型楽曲再生装置。
【発明の詳細な説明】
【技術分野】
【０００１】
本発明は、文字入力作業を能率的に行えるようにした文字入力装置、携帯型楽曲再生装置、文字入力方法及びプログラムに関するものである。
【背景技術】
【０００２】
特許文献１は、ユーザが、携帯電話機において、操作キーを強押ししたときと弱押ししたときとの２個の操作態様を識別し、各操作態様に対して異なる処理を行うことを開示する。特許文献１の携帯電話機では、電話番号の数字入力に割当てられている１０個の数字キー「１あ」〜「０わ」を文字入力にも利用し、例えば「１あ」キーを強押ししたときには、各押下ごとに、取得文字を「あ」→「い」→「う」→「え」→「お」→「ぁ」→「ぃ」→「ぅ」→「ぇ」→「ぉ」→「あ」→・・・と順方向へ切替え、弱押ししたときには、「あ」→「ぉ」→「ぇ」→「ぅ」→「ぃ」→「ぁ」→「お」→「え」→「う」→「い」→「あ」・・・と逆方向へ切替えていくことを開示する（特許文献１の段落００４７，００４８）。
【０００３】
特許文献２は、ユーザが操作キーを操作して文字入力する携帯電話機を開示する。該携帯電話機では、電話番号を入力する１０個の数字キーの各々に、五十音表の各列（あいうえおの列、かきくけこの列、・・・）を割当て、文字入力期間では、数字キーの弱押しの対しては、列内の各文字を順番に特定するのに対し（段落００３０）、強押しに対しては、文字列の予測処理を行うようになっている（段落００３１）。
【０００４】
特許文献３は、携帯電話等の携帯端末において、本体の左右側部にスライド機構を配備して、左右のスライド機構を、上下スライド及び押込み操作することにより文字を入力することを開示する。特許文献３の図８（ａ）及び（ｂ）では、かなモード及び英字モードでの文字入力において、一方のスライド機構の上又は下方向のスライドでは、五十音順及びアルファベット順に対して飛び飛びの文字を表示させ、また、他方のスライド機構の上又は下方向のスライドでは、飛び飛びの各文字に割当てられている連続順の文字を表示させるようになっている。
【０００５】
一方、ハードディスク内蔵型ポータブル音楽再生装置が公知になっている。該ハードディスク内蔵型ポータブル音楽再生装置では、ＭＰ３（MPEG１ Audio Layer-3）やＷＭＡ（Windows Media Audio）等の音楽ファイルを著作権管理上、暗号化してから、ハードディスクに記録し、ユーザは、タクトキーの操作により、ハードディスクに記録された楽曲を適宜、選択して、聴取するようになっている。典型的なハードディスク内蔵型携帯式楽曲再生装置におけるタクトキーは、中央と、その上下左右とに配置され、携帯電話における０〜９の数字キーに比して、個数が大幅に少なくなっている。
【特許文献１】特開２００２-１４１９７０号公報
【特許文献２】特開２００２-１４１９９６号公報
【特許文献３】特開２００２-１６３０６８号公報
【発明の開示】
【発明が解決しようとする課題】
【０００６】
ハードディスク内蔵型携帯式楽曲再生装置では、タクトキーの個数が非常に少ないので、１個のタクトキーに割当てなければならない文字の総数は、携帯電話の数字キーに比して大幅に増大する。
【０００７】
特許文献１，２は、操作キーに対する強押しと弱押しとの操作態様を識別し、各操作態様に文字入力係る処理を割当てることを開示するものの、具体的に割当てられた処理とは、取得文字の切替え方向を正順と逆順にしたり、通常入力に対して入力文字列を予測したりすることであった。
【０００８】
特許文献３は、ユーザが、１個のスライド機構を上又は下へスライドさせることにより別々の指示を出すことを開示するが、スライド操作は、比較的長い距離を変位させなければならず、非能率である。また、特許文献３の００３２及び図８に説明されているように、五十音順及びアルファベット順で飛び飛びでなく、連続順で文字を表示するときは、飛び飛び順の各文字（以下、「代表文字」という。）に対して割当てられた所定数の文字内での連続順に限られている。各代表文字に対して割当てられている文字は、五十音順及びアルファベット順で該代表文字を先頭にして、次の代表文字より１個前の文字を末尾とする範囲となっており、範囲間を移動するときは、必ず、範囲を変更してから、すなわち、代表文字を切り替える飛び飛び用の操作を行ってから、連続用の操作に戻らなければならず、能率が悪い。
【０００９】
本発明の目的は、操作部材の個数が少なく、１個の操作部材に割当てる文字数が膨大になる場合にも、ユーザが希望文字を能率的に入力できるようにした文字入力装置、携帯型楽曲再生装置、文字入力方法及びプログラムを提供することである。
【課題を解決するための手段】
【００１０】
本発明の文字入力装置は次のものを有している。
文字入力用光センサ装置、
文字入力用光センサ装置に対してユーザが行なう２個以上の操作態様を判別する操作態様判別器、
所定分類内の全部の文字を網羅して順番に並べた第１の順番列と、第１の順番列において不連続の順番となっている文字を選抜してそれらを順番に並べ直した第２の順番列とを設定する設定手段、及び
文字入力用光センサ装置に対する第１の操作態様による操作では、１回の操作ごとに第１の順番列における文字をそれらの順番に従い１個ずつ入力文字として表示し、文字入力用光センサ装置に対する第２の操作態様による操作では、１回の操作ごとに第２の順番列における文字をそれらの順番に従い１個ずつ入力文字として表示する入力文字表示手段。
【００１１】
本発明の別の文字入力装置は次のものを有している。
第１及び第２の文字入力用光センサ装置、
第１及び第２の文字入力用光センサ装置のそれぞれに対してユーザが行なう２個以上の操作態様を判別する操作態様判別器、
所定分類内の全部の文字を網羅して順番に並べた第１の順番列と、第１の順番列において不連続の順番となっている文字を選抜して順番に並べ直した第２の順番列とを設定する設定手段、及び
第１の文字入力用光センサ装置に対する第１の操作態様による操作では、１回の操作ごとに第１の順番列における文字をそれらの順方向への順番に従い１個ずつ入力文字として表示し、第１の文字入力用光センサ装置に対する第２の操作態様による操作では、１回の操作ごとに第２の順番列における文字をそれらの順方向への順番に従い１個ずつ入力文字として表示し、
第２の文字入力用光センサ装置に対する第１の操作態様による操作では、１回の操作ごとに第１の順番列における文字をそれらの逆方向の順番に従い１個ずつ入力文字として表示し、第１の文字入力用光センサ装置に対する第２の操作態様による操作では、１回の操作ごとに第２の順番列における文字をそれらの逆方向の順番に従い１個ずつ入力文字として表示する入力文字表示手段。
【００１２】
本発明の文字入力方法は次のステップを有している。なお、第１及び第２の順番列は、前述の文字入力装置に関連して定義したとおりである。
文字入力用光センサ装置に対するユーザ操作の有無を判定するステップ、
文字入力用光センサ装置に対するユーザ操作が有る場合には操作態様が第１及び第２の操作態様のどちらであるかを判定するステップ、
操作態様が第１の操作態様と判定された場合には、現在の入力文字に対して第１の順番列において次の順番にある文字を入力文字として表示するステップ、及び
操作態様が第２の操作態様と判定された場合、現在の入力文字に対して第２の順番列において次の順番にある文字を入力文字として表示するステップ。
【００１３】
本発明のプログラムは、前述の文字入力方法の各ステップをコンピュータに実行させる。
【発明の効果】
【００１４】
本発明によれば、１個の文字入力用光センサ装置に対する第１及び第２の操作態様の操作により、文字入力用光センサ装置の個数を抑制しつつ、入力文字を第１の順番列における１個ずつの順番で変更したり、第２の順番列における１個ずつの順番、すなわち第１の順番列では適当に飛ばした順番で変更するようにしているので、所望の文字を少ない操作回数で選択できる。
【００１５】
また、第１の操作態様では、所定分類内の連続順の所定数の文字に限定する範囲内の文字のみでなく、全部の文字を次々に表示して行くことができるので、第１の順番列の順番では近接しているが属する範囲が相違する文字間を移動する場合に、一々、第２の操作態様の操作を強制されず、第１の操作態様の操作のみで能率的に移動することができる。
【発明を実施するための最良の形態】
【００１６】
図１はハードディスク内蔵型ポータブル音楽再生装置１０の前面図である。ハードディスク内蔵型ポータブル音楽再生装置１０は、前面において、カラーＬＣＤ１１と、光キー配列部１２とを有している。光キー配列部１２は、中央光キー１４と、中央光キー１４の上側に配備される上側光キー１６と、中央光キー１４の右側に配備されている右側光キー１７と、中央光キー１４の下側に配備されている下側光キー１８と、中央光キー１４の左側に配備されている左側光キー１９と、上側光キー１６とほぼ同じ高さでハードディスク内蔵型ポータブル音楽再生装置１０の左側辺に寄せて配備されているモード選択用光キー２１とを有している。ヘッドホン２４は、ユーザの左右の耳に装填される左右の装填部２５ａ，２５ｂと、一端側においてハードディスク内蔵型ポータブル音楽再生装置１０の本体の上部のジャックに挿抜自在に挿入され、他端側において分岐して装填部２５ａ，２５ｂに接続されるオーディオ信号線２６とを有している。
【００１７】
図２はハードディスク内蔵型ポータブル音楽再生装置１０の概略構成図である。ハードディスク内蔵型ポータブル音楽再生装置１０は、制御部３０、表示部３１、入力部３２、出力部３３及びハードディスク３４を有している。表示部３１はカラーＬＣＤ１１に対応し、入力部３２は光キー配列部１２に対応し、出力部３３はヘッドホン２４に対応する。ハードディスク３４は、ハードディスク内蔵型ポータブル音楽再生装置１０に内蔵され、十分な記憶容量を備え、ＭＰ３やＷＭＡの楽曲ファイルを、著作権管理のために暗号化したフォーマットのファイルへ変換して、格納している。なお、本明細書で楽曲とは、単に、音楽だけでなく、語学学習、講習及び落語等のすべてのオーディオのオブジェクトを包含するものとする。
【００１８】
制御部３０は、入力部３２からユーザ指示を受付け、ユーザ指示に基づき表示部３１の表示やハードディスク３４のファイルデータの読出しを制御するとともに、ユーザ指示に対応する楽曲を出力部３３へ出力する。
【００１９】
図３は単一の光センサ３９を装備する光センサ装置３８の構成図である。（ａ）は光センサ３９の発光側から見た図、（ｂ）は（ａ）に対して垂直方向から見た断面図である。図１の光キー配列部１２、右側光キー１７、左側光キー１９及びモード選択用光キー２１には光センサ装置３８が採用されている。光センサ装置３８は、光学式マウスを上下反転させた構造とほぼ同一となっている。光学式マウスでは、光センサ３９の発光側が机側、すなわちユーザとは反対側へ向けられるが、光センサ装置３８では、光センサ３９の発光側はユーザの方へ向けられる。
【００２０】
光センサ装置３８は、光センサ３９と、光センサ３９を、その発光面側を露出させつつ収容する枠部４０とを有している。光センサ装置３８及び後述の光センサ装置４５（図４）がハードディスク内蔵型ポータブル音楽再生装置１０の光キーとして配備された場合には、枠部４０，４８の外周側輪郭線がユーザにより１個のキーの輪郭線のように認識され、これにより、ユーザには、光センサ３９，４６（図４），４７（図４）がどの光キーに属するものかが明瞭になる。
【００２１】
所定量の光が、光センサ３９の発光素子から放射されているときに、ユーザが、自分の例えば人差し指を光センサ３９にタッチさせると、指に当たって反射して来た光が受光として光センサ３９に検知される。これに対して、ユーザが指を光センサ３９にタッチしていない期間では、受光がなく、光センサ３９は受光を検知しない。したがって、光センサ３９における受光の検知の有無により、ユーザが光センサ３９に指でタッチしたか否かを検出できる。
【００２２】
光センサ装置３８の光センサ３９は、それに対してユーザが指でタッチする操作態様を検出できるのはもちろんであるが、単一の光センサ３９にもかかわらず、それに対するユーザの複数個の操作態様を割当てて、各操作態様を検出することができる。周知の光学式マウスでは、ユーザが該マウスを机上で移動させることにより、移動速度が所定値以上であること、移動方向が第１の方向であること、移動方向が第１の移動方向とは別の第２の移動方向であること等、種々の操作態様を検出する。周知の光学式マウスが、光放射側を机側へ向けて、マウスを机に対して動かすのに対し、光センサ装置３８は、周知の光学式マウスを上下反転した構造とされるとともに、移動側が、光センサ装置３８ではなく、ユーザの指となって、指を光センサ装置３８の光放射側で動かすことにより、単一の光センサ３９から複数個の操作態様が検出可能になる。
【００２３】
単一の光センサ３９についての複数個の操作態様とは、具体的には、光センサ装置３８の近傍において指を所定速度以上で移動させること、光センサ装置３８の近傍において指を第１の方向へ所定速度以上で移動させること、光センサ装置３８の近傍において指を第１の方向とは異なる第２の方向へ所定速度以上で移動させること等である。光センサ装置３８が検出する操作態様をそれらの内から２個、選択すれば、光センサ装置３８をハードディスク内蔵型ポータブル音楽再生装置１０の上側光キー１６及び下側光キー１８としても採用可能になる。例えば、ユーザが指を光センサ装置３８に対して第１及び第２の方向へ移動させる操作態様を、後述の文字入力装置５５（図７）等における第１及び第２の操作態様として割当てることができる。
【００２４】
図４は２個の光センサ４６，４７を装備する光センサ装置４５の構成図である。（ａ）は光センサ４６，４７の発光側から見た図、（ｂ）は（ａ）に対して垂直方向から見た断面図である。図１の上側光キー１６及び下側光キー１８は光センサ装置４５から成る。光センサ装置３８の光センサ３９と同様に、光センサ４６，４７は、発光側をユーザの方へ向けている。
【００２５】
光センサ装置４５は、相互に近接して配置された光センサ４６，４７と、光センサ４６，４７を内側に囲うように収容する枠部４８とを有している。光センサ装置４５が、ハードディスク内蔵型ポータブル音楽再生装置１０の前面に配備された場合には、枠部４８の外周側輪郭線がユーザにより１個のキーの輪郭線のように認識される。
【００２６】
ユーザは、光センサ装置４５に対する操作に関して、光センサ４６，４７のいずれかをタッチする。すなわち、ユーザは、光センサ装置４５に対して、光センサ４６をタッチする操作態様と、光センサ４７をタッチする操作態様との計２個の操作態様で操作可能になっている。光センサ装置４５が３個以上の光センサを含む場合には、各光センサへのタッチに対して１個の操作態様を対応付けることができる。
【００２７】
以降、説明の便宜上、上側光キー１６及び下側光キー１８として採用された光センサ装置４５では、中央光キー１４に近い方が光センサ４６とされ、中央光キー１４から遠い方が光センサ４７とされるものとする。逆の選択も可能である。
【００２８】
図５はハードディスク内蔵型ポータブル音楽再生装置１０における文字入力に適用される五十音表の一例である。図６はハードディスク内蔵型ポータブル音楽再生装置１０における文字入力に適用される半角英数表の一例である。図５の五十音表及び図６の半角英数表において、上の行から下の行へ順番に、かつ同一行内では、左端の文字から右端の文字の方へ順番に、文字の順番が定められる。すなわち、「あ」、「い」、「う」、「え」、「お」、「か」、「き」・・・はそれぞれ順番が１番、２番、３番、４番、５番、６番、７番・・・となる。「A」、「B」、「C」、「D」、「E」、「F」、「G」・・・はそれぞれ１番、２番、３番、４番、５番、６番、７番・・・となる。なお、図５及び図６において、”−”は文字が未割当てであることを示している。
【００２９】
ユーザがモード選択用光キー２１（図１）をタッチするごとに、入力モードは、”ひらがな”（図５の五十音表に対応）→”全角カタカナ”→”半角カタカナ”→”全角英数”→”半角英数”（図６の半角英数表に対応）→”ひらがな”→・・・と循環的に切り替わる。
【００３０】
ユーザが左側光キー１９をタッチするごとに、入力モードに関係なく、カラーＬＣＤ１１における入力文字位置を示すカーソル位置が左へ１個ずつ移動する。
【００３１】
ユーザが右側光キー１７をタッチするごとに、入力モードに関係なく、カラーＬＣＤ１１における入力文字位置を示すカーソル位置が右へ１個ずつ移動する。
【００３２】
ユーザが中央光キー１４をタッチするごとに、入力モードに関係なく、カーソル位置にある文字が入力を確定され、カーソル位置は右へ１個移動する。
【００３３】
入力モードが”ひらがな”である場合の上側光キー１６及び下側光キー１８の操作に対応する処理について説明する。
【００３４】
ユーザが上側光キー１６の光センサ４６をタッチするごとに、カラーＬＣＤ１１における入力文字位置を示すカーソル位置に「あ」→「い」→「う」→「え」→「お」→「か」→「き」・・・→「を」→「ん」→「あ」→「い」・・・と、図５の五十音表の順方向に入力文字が循環的に切り替わる。なお、上側光キー１６の光センサ４６及び後述の下側光キー１８の光センサ４６のタッチに対し、図５及び図６の”−”は飛ばされる。
【００３５】
ユーザが上側光キー１６の光センサ４７をタッチするごとに、カラーＬＣＤ１１における入力文字位置を示すカーソル位置に「あ」→「か」→「さ」→「た」→「な」→「は」→「ま」→「や」→「ら」→「わ」→「ん」→「あ」→・・・と、図５の五十音表のあ段を順方向に入力文字が循環的に切り替わる。なお、この切り替わりは、図５の五十音表の文字の未割当ての箇所（”−”と表示されている箇所）も番数に数えて、「ん」→「あ」への切替を除き、＋５番ずつ変化した順番となっている。
【００３６】
ユーザが下側光キー１８の光センサ４６をタッチするごとに、カラーＬＣＤ１１における入力文字位置を示すカーソル位置に「ん」→「を」→「わ」→「ろ」→「れ」→「る」→「り」・・・→「い」→「あ」→「ん」→「を」・・・と、図５の五十音表の逆方向に入力文字が循環的に切り替わる。
【００３７】
ユーザが下側光キー１８の光センサ４７をタッチするごとに、カラーＬＣＤ１１における入力文字位置を示すカーソル位置に「ん」→「わ」→「ら」→「や」→「ま」→「は」→「な」→「た」→「さ」→「か」→「あ」→「ん」・・・と、図５の五十音表のあ段を逆方向に入力文字が循環的に切り替わる。なお、この切り替わりは、図５の五十音表の文字の未割当ての箇所（”−”と表示されている箇所）も番数に数えて、「あ」→「ん」の切替を除き、−５番ずつ変化した順番となっている。
【００３８】
入力モードが”半角英数”である場合の上側光キー１６及び下側光キー１８の操作に対応する処理について説明する。
【００３９】
ユーザが上側光キー１６の光センサ４６をタッチするごとに、カラーＬＣＤ１１における入力文字位置を示すカーソル位置に「A」→「B」→「C」→「D」→「E」→「F」→「G」・・・→「8」→「9」→「A」→「B」→・・・と、図６の半角英数表の順方向に入力文字が循環的に切り替わる。
【００４０】
ユーザが上側光キー１６の光センサ４７をタッチするごとに、カラーＬＣＤ１１における入力文字位置を示すカーソル位置に「A」→「F」→「K」→「P」→「U」→「Z」→「a」・・・→「z」→「0」→「5」→「A」→「F」・・・と、図６の半角英数表の第１列の入力文字が順方向に循環的に切り替わる。図６の半角英数表の文字の未割当ての箇所（”−”と表示されている箇所）も番数に数えて、「5」→「A」への切替を除き、＋５番ずつ変化した順番となっている。
【００４１】
ユーザが下側光キー１８の光センサ４６をタッチするごとに、カラーＬＣＤ１１における入力文字位置を示すカーソル位置に「9」→「8」→「7」→「6」→「5」→「4」→「3」・・・→「B」→「A」→「9」→・・・と、図６の半角英数表の逆方向に入力文字が循環的に切り替わる。
【００４２】
ユーザが下側光キー１８の光センサ４７をタッチするごとに、カラーＬＣＤ１１における入力文字位置を示すカーソル位置に「5」→「0」→「z」→「u」→「p」→「k」→「f」・・・→「F」→「A」→「5」→「0」→・・・と、図６の半角英数表の第１列の入力文字が逆方向に循環的に切り替わる。なお、この切り替わりは、図６の半角英数表の未割当ての箇所（”−”と表示されている箇所）も番数に数えて、「A」→「5」への切替を除き、−５番ずつ変化した順番となっている。
【００４３】
以上を踏まえ、例えば、「ふるさと」と入力する場合の手順について説明する。
【００４４】
Ｓ１：モード選択用光キー２１をタッチして文字入力モードを"ひらがな"にする（カーソル位置に「あ」が表示される。）。
【００４５】
Ｓ２：下側光キー１８の光センサ４７のタッチを６回（「ん」→「わ」→「ら」→「や」→「ま」→「は」）、上側光キー１６の光センサ４６のタッチを２回（「ひ」→「ふ」、行って、その後、右側光キー１７をタッチして、カーソルを右へ１個、移動する。
【００４６】
Ｓ３：下側光キー１８の光センサ４７のタッチを３回（「ん」→「わ」→「ら」）、上側光キー１６の光センサ４６のタッチを２回（「り」→「る」）、行って、その後、右側光キー１７をタッチして、カーソルを右へ１個、移動する。
【００４７】
Ｓ４：上側光キー１６の光センサ４７のタッチを３回（「あ」→「か」→「さ」）、行い、その後、右側光キー１７をタッチして、カーソルを右へ１個、移動する。
【００４８】
Ｓ５：上側光キー１６の光センサ４７のタッチを４回（「あ」→「か」→「さ」→「た」）、上側光キー１６の光センサ４６のタッチを４回（「ち」→「つ」→「て」→「と」）、行って、その後、右側光キー１７をタッチして、カーソルを右へ１個、移動する。
【００４９】
従来の入力方式では、機械式上側操作キー及び機械式下側操作キーの押下のみで、入力文字を表示させていかなければならないので、例えば、「ふるさと」について、モード選択用光キー２１によりひらがな入力モードにしてから、押下操作が計６０回であったのに対し、この例では、計２８回のタッチ操作となり、操作回数が大幅に低減された。
【００５０】
なお、Ｓ５に代えて、次のＳ５ｂを用いることもできる。「と」を入力するために、Ｓ５では、計８回のタッチ操作が行われたのに対し、Ｓ５ｂでは、タッチ操作は計６回となる。
【００５１】
Ｓ４ｂ：上側光キー１６の光センサ４７のタッチを５回（「あ」→「か」→「さ」→「た」→「な」）、下側光キー１８の光センサ４６のタッチを１回（「と」）、行って、その後、その後、右側光キー１７をタッチして、カーソルを右へ１個、移動する。
【００５２】
図７は文字入力装置５５のブロック図である。文字入力装置５５は、文字入力用光センサ装置５６、設定手段５７、操作態様判別器５８及び入力文字表示手段５９を有している。分類切替用光センサ装置６１については図８の分類切替用光センサ装置７３と共に後述する。文字入力装置５５の一例はハードディスク内蔵型ポータブル音楽再生装置１０（図１）である。文字入力用光センサ装置５６の一例は光センサ装置３８，４５である。前述のハードディスク内蔵型ポータブル音楽再生装置１０では、上側光キー１６及び下側光キー１８は、光センサ装置４５を採用しているが、前述したように、単一の光センサ３９しか有しない光センサ装置３８も、複数個の操作態様を検出して、光センサ装置４５に代替させることができるので、文字入力装置５５の一例には、光センサ装置４５を採用した上側光キー１６及び下側光キー１８に限らず、光センサ装置３８を採用した上側光キー１６及び下側光キー１８も含めることができる。
【００５３】
操作態様判別器５８は、文字入力用光センサ装置５６に対してユーザが行なう２個以上の操作態様を判別する。設定手段５７は、所定分類内の全部の文字を網羅して順番に並べた第１の順番列と、第１の順番列において不連続の順番となっている文字を選抜してそれらを順番に並べ直した第２の順番列とを設定する。入力文字表示手段５９は、文字入力用光センサ装置５６に対する第１の操作態様による操作では、１回の操作ごとに第１の順番列における文字をそれらの順番に従い１個ずつ入力文字として表示する。入力文字表示手段５９は、また、文字入力用光センサ装置５６に対する第２の操作態様による操作では、１回の操作ごとに第２の順番列における文字をそれらの順番に従い１個ずつ入力文字として表示する。
【００５４】
所定分類、操作態様、第１及び第２の順番列、並びに不連続の順番の具体例については、後述の文字入力装置６５の説明の際に、文字入力装置６５のそれらと併せて説明する。
【００５５】
文字入力装置５５では、それについての操作に対して少なくとも２個の操作態様が用意される。ユーザは、第２の操作態様による操作を利用して、文字を適宜飛ばして、取得できるようになっているので、文字数が多くても、目的の入力文字へ短時間かつ能率的に到達することができる。
【００５６】
さらに、第１の順番列は、所定分類内の全部の文字を網羅しているので、特許文献３の文字入力装置のように、第１の操作態様に対して、第２の順番列の文字と同一の群に属する文字の中だけで循環し、隣りの群に属する文字へ切替えるには、必ず、第２の操作を強制される文字入力装置に比して、第１の操作態様による文字入力作業が能率的となる。同様のことは、後述の文字入力装置６５に関しても言える。
【００５７】
図８は別の文字入力装置６５のブロック図である。文字入力装置６５は、第１の文字入力用光センサ装置６６、第２の文字入力用光センサ装置６７、操作態様判別器６８、設定手段６９及び入力文字表示手段７０を有している。確定用光センサ装置７２及び分類切替用光センサ装置７３については後述する。文字入力装置６５の一例はハードディスク内蔵型ポータブル音楽再生装置１０である。第１及び第２の文字入力用光センサ装置６６，６７の一例はそれぞれ上側光キー１６及び下側光キー１８である。入力文字表示手段７０は例えばカラーＬＣＤ１１に入力文字を表示する。
【００５８】
操作態様判別器６８は、第１及び第２の文字入力用光センサ装置６６，６７のそれぞれに対してユーザが行なう２個以上の操作態様を判別する。設定手段６９は、所定分類内の全部の文字を網羅して順番に並べた第１の順番列と、第１の順番列において不連続の順番となっている文字を選抜して順番に並べ直した第２の順番列とを設定する。
【００５９】
入力文字表示手段７０は、第１の文字入力用光センサ装置６６に対する第１の操作態様による操作では、１回の操作ごとに第１の順番列における文字をそれらの順方向への順番に従い１個ずつ入力文字として表示する。入力文字表示手段７０は、第１の文字入力用光センサ装置６６に対する第２の操作態様による操作では、１回の操作ごとに第２の順番列における文字をそれらの順方向への順番に従い１個ずつ入力文字として表示する。入力文字表示手段７０は、また、第２の文字入力用光センサ装置６７に対する第１の操作態様による操作では、１回の操作ごとに第１の順番列における文字をそれらの逆方向の順番に従い１個ずつ入力文字として表示する。入力文字表示手段７０は、第２の文字入力用光センサ装置６７に対する第２の操作態様による操作では、１回の操作ごとに第２の順番列における文字をそれらの逆方向の順番に従い１個ずつ入力文字として表示する。
【００６０】
文字入力装置６５では、文字入力装置５５の場合と同様に、第１及び第２の文字入力用光センサ装置６６，６７の操作に対して少なくとも２個の操作態様が用意される。ユーザは、第１及び第２の文字入力用光センサ装置６６，６７に対する第２の操作態様による操作を利用して、文字を順方向及び逆方向へ飛ばして、選択できるようになっているので、文字数が多くても、所望の文字を短時間かつ能率的に入力することができる。
【００６１】
好ましくは、第１及び第２の文字入力用光センサ装置６６，６７は、入力文字を確定する確定用光センサ装置７２に対してそれぞれ上側及び下側に配設されている。確定用光センサ装置７２の一例は中央光キー１４（図１）である。それぞれ順方向及び逆方向に係る第１及び第２の文字入力用光センサ装置６６，６７がそれぞれ確定用光センサ装置７２の上側及び下側に配設されることにより、操作部材の現実の配置が順方向及び逆方向についてのユーザの直感と調和し、操作ミスを抑制できる。
【００６２】
所定分類は、例えば、文字入力モードに対応する分類であるが、言語（英語、日本語、中国語）に関する分類や、文字種に関する分類等のその他の分類を除外しない。文字入力モードとは、ハードディスク内蔵型ポータブル音楽再生装置１０のモード選択用光キー２１に関連して説明したように、例えば”ひらがな”、”全角カタカナ”、”半角カタカナ”、”全角英数”及び”半角英数”である。好ましくは、文字入力装置５５は分類切替用光センサ装置６１を有し、文字入力装置６５は分類切替用光センサ装置７３を有している。分類切替用光センサ装置６１，７３は、ユーザが所定分類を切り替え操作する。
【００６３】
典型的には、各文字入力用光センサ装置は、他の光センサ装置の光センサの群と相互に区別できる一群の光センサから構成されている。これにより、各文字入力用光センサ装置に属する光センサは、ユーザにとり１個の操作キーのように、把握され、１個の操作キーが複数個の操作態様で操作されて、種々の指示を１個の操作キーで間に合わせるような感覚をユーザに強くもたせることができる。
【００６４】
典型的には、操作態様とは、光センサ装置４５において説明したように、第１及び第２の文字入力用光センサ装置６６，６７がそれぞれ複数個の光センサを装備する場合には、ユーザが複数個の光センサの内でどれかの光センサにタッチしたことである。この場合、１個の光センサ装置に対して、それが装備する光センサの個数だけ操作態様が割当て可能となる。さらに、光センサ装置３８について説明したように、１個の光センサしか有しない光センサ装置であっても、指の移動方向が第１の移動方向とか、第２の移動方向とか、移動速度が速いとか遅いとかにより、複数個の操作態様の割当てが可能である。また、移動方向及び移動速度等の検出は、単一の光センサしか有しない光センサ装置だけでなく、複数個の光センサを装備する光センサ装置でも検出することは可能であり、また、複数個の光センサにより検出した方が精度が高まる。さらに、操作態様とは、光センサへのタッチ時間を所定時間以上とさせること及び所定時間未満とすることとしてもよい。
【００６５】
文字入力装置６５においてそれぞれ第１及び第２の文字入力用光センサ装置６６，６７に割当てた第１の順番列の順方向及び逆方向に対して、典型的には、順方向は、ハードディスク内蔵型ポータブル音楽再生装置１０における「あ」→「い」→「う」→「え」→「お」→「か」→「き」・・・→「を」→「ん」→「あ」→「い」・・・とし、逆方向は、ハードディスク内蔵型ポータブル音楽再生装置１０における「ん」→「を」→「わ」→「ろ」→「れ」→「る」→「り」・・・→「い」→「あ」→「ん」→「を」・・・に対応させる。しかし、文字入力装置５５における文字入力用光センサ装置５６に割当てる第１の順番列は、典型的には順方向のものとするが、逆方向のものにすることもできる。
【００６６】
第１の順番列において不連続の順番の文字とは、例えば、第１の順番列の少なくとも所定範囲では順番が所定数ずつ増加している文字である。前述のハードディスク内蔵型ポータブル音楽再生装置１０における「あ」→「か」→「さ」→「た」→「な」→「は」→「ま」→「や」→「ら」→「わ」→「ん」や、「A」→「F」→「K」→「P」→「U」→「Z」は、図４及び図５の表において文字を割当てられていないセル（”−”と表示）が含まれる行の範囲以外の範囲では、第１の順番列において順番が５個ずつ飛んでいる。
【００６７】
不連続の順番は、第１の順番列において一律に設定する必要はない。ユーザが頻繁に使用する順番範囲では、不連続の刻みを細かくし、ユーザがあまり使用しない順番範囲では、不連続の刻みを荒くすることもできる。
【００６８】
文字入力装置５５，６５は、携帯型楽曲再生装置に装備される。携帯型楽曲再生装置には、例えばハードディスク型携帯型楽曲再生装置及びフラッシュメモリ型携帯型楽曲再生装置が含まれる。携帯型楽曲再生装置におけるハードディスク及びフラッシュメモリは適宜、取り外されて、交換自在になっている場合もある。
【００６９】
図９は文字入力方法７５のフローチャートである。文字入力方法７５は文字入力装置５５に対応している。文字入力方法７５において、第１及び第２の順番列とは、文字入力装置５５に関して定義したとおりである。
【００７０】
Ｓ７６では、文字入力用光センサ装置５６に対するユーザ操作の有無を判定し、判定が正である場合には、Ｓ７７へ進み、否である場合には、文字入力方法７５を終了する。
【００７１】
Ｓ７７では、操作態様が第１及び第２の操作態様のどちらであるかを判定し、第１の操作態様と判定された場合には、Ｓ７８へ進み、第２の操作態様と判定された場合には、Ｓ７９へ進む。
【００７２】
Ｓ７８では、現在の入力文字に対して第１の順番列において次の順番にある文字を入力文字として表示する。
【００７３】
Ｓ７９では、現在の入力文字に対して第２の順番列において次の順番にある文字を入力文字として表示する。
【００７４】
図１０は文字入力方法８５のフローチャートである。文字入力方法８５は文字入力装置６５に対応している。第１及び第２の順番列とは、文字入力装置６５において定義したとおりである。
【００７５】
Ｓ８６，Ｓ９３では、それぞれ第１及び第２の文字入力用光センサ装置６６，６７に対するユーザ操作の有無を判定する。両判定とも、否である場合には、文字入力方法８５を終了する。
【００７６】
第１の文字入力用光センサ装置６６に対するユーザ操作が有りの場合には、Ｓ８７において、操作態様が第１及び第２の操作態様のどちらであるかを判定する。
【００７７】
Ｓ８８では、すなわち、第１の文字入力用光センサ装置６６への第１の操作態様による操作に対しては、現在の入力文字に対して第１の順番列において順方向へ次の順番にある文字を入力文字として表示する。
【００７８】
Ｓ８９では、すなわち、第１の文字入力用光センサ装置６６への第２の操作態様による操作に対しては、現在の入力文字に対して第２の順番列において順方向へ次の順番にある文字を入力文字として表示する。
【００７９】
Ｓ９５では、すなわち、第２の文字入力用光センサ装置６７への第１の操作態様による操作に対しては、現在の入力文字に対して第１の順番列において逆方向へ次の順番にある文字を入力文字として表示する。
【００８０】
Ｓ９６では、すなわち、第２の文字入力用光センサ装置６７への第２の操作態様による操作に対しては、現在の入力文字に対して第２の順番列において逆方向へ次の順番にある文字を入力文字として表示する。
【００８１】
Ｓ７６（図９）及びＳ８６（図１０）の前に、現在の所定分類が何か（該所定分類を入力モードに係る分類とするならば、例えば”ひらがな”、”全角カタカナ”、”半角カタカナ”、”全角英数”又は”半角英数”の入力モード）を検出するステップを設け、Ｓ７８，Ｓ７９，Ｓ８８，Ｓ８９，Ｓ９５，Ｓ９６における順番列は、検出された現在の所定分類に係る順番列に基づき処理するようになっていることが好ましい。
【００８２】
本発明を適用したプログラムは、文字入力方法７５又は８５の各ステップをコンピュータに実行させる。
【００８３】
本発明を最良の形態について説明したが、本発明は、これに限定されず、要旨の範囲内で種々の形態により実施可能であることは言うまでもない。
【図面の簡単な説明】
【００８４】
【図１】ハードディスク内蔵型ポータブル音楽再生装置の前面図である。
【図２】ハードディスク内蔵型ポータブル音楽再生装置の概略構成図である。
【図３】単一の光センサを装備する光センサ装置の構成図である。
【図４】２個の光センサ，を装備する光センサ装置の構成図である。
【図５】ハードディスク内蔵型ポータブル音楽再生装置における文字入力に適用される五十音表の一例である。
【００８５】
【図６】ハードディスク内蔵型ポータブル音楽再生装置における文字入力に適用される半角英数表の一例である。
【図７】文字入力装置のブロック図である。
【図８】別の文字入力装置のブロック図である。
【図９】文字入力方法のフローチャートである。
【図１０】文字入力方法のフローチャートである。
【符号の説明】
【００８６】
５５：文字入力装置、５６：文字入力用光センサ装置、５７：設定手段、５８：操作態様判別器、５９：入力文字表示手段、６１：分類切替用光センサ装置、６５：文字入力装置、６６：第１の文字入力用光センサ装置、６７：第２の文字入力用光センサ装置、６８：操作態様判別器、６９：設定手段、７０：入力文字表示手段、７２：確定用光センサ装置、７３：分類切替用光センサ装置、７５：文字入力方法、８５：文字入力方法。
【図１】
0004720493.tif 000002
【図２】
0004720493.tif 000003
【図３】
0004720493.tif 000004
【図４】
0004720493.tif 000005
【図５】
0004720493.tif 000006
【図６】
0004720493.tif 000007
【図７】
0004720493.tif 000008
【図８】
0004720493.tif 000009
【図９】
0004720493.tif 000010
【図１０】
0004720493.tif 000011